(57)【要約】      （修正有）【課題】周囲雑音による注意散漫を低減するための方法及び電子リーダ周囲雑音最小化装置を提供する。【解決手段】表示画面を備えた端末装置１００がリーダモードになっていることを判定する。加えて、端末装置の周囲の周囲雑音５２５も検出される。周囲雑音による注意散漫を低減するために、雑音相殺音波５３０が端末装置において生成される。雑音相殺音波は、その後、端末装置と結合されている少なくとも１つのスピーカ１５０から出力される。【選択図】図５
2015011352.tif 000002
【特許請求の範囲】
【請求項１】
表示画面を備えた端末装置における周囲雑音を低減する方法であって、
前記端末装置の状態が、ユーザが電子書籍の読書をしていると推定される状態であるリーダモードであるか否かを判定する判定ステップと、
前記端末装置の周囲の周囲雑音を検出する検出ステップと、
前記端末装置の周囲で検出された前記周囲雑音に対応する雑音相殺音波を生成する生成ステップと、
前記判定ステップにおいて前記リーダモードであると判定された場合に前記雑音相殺音波を出力する出力ステップと
を含む、方法。
【請求項２】
前記判定ステップにおいて、前記端末装置において電子書籍が表示されている場合に、リーダモードであると判定する、
請求項１に記載の方法。
【請求項３】
前記判定ステップにおいて、前記端末装置において電子書籍が予め設定された所定時間以上表示されている場合に、リーダモードであると判定する、
請求項２に記載の方法。
【請求項４】
前記判定ステップにおいて、前記端末装置がリーダモードになっていることを通知するハードボタン入力または容量式センサ入力からの手動入力を検出したときに、リーダモードであることを判定する、
請求項１に記載の方法。
【請求項５】
前記判定ステップにおいて、前記端末装置に対する操作を所定時間検出しなかった場合に前記リーダモードでないと判定し、
前記判定ステップにおいてリーダモードでないと判定された場合に、前記雑音相殺音波の出力を停止する停止ステップを更に含む、
請求項１〜４のいずれか一項に記載の方法。
【請求項６】
前記判定ステップにおいて、電子書籍に対するページめくりの操作を所定時間検出しなかった場合に、前記リーダモードでないと判定する、
請求項５に記載の方法。
【請求項７】
前記出力ステップにおいて、前記検出ステップにおいて所定の閾値以上の音量を有する周囲雑音を検出した場合に前記雑音相殺音波を出力し、
ユーザが電子書籍の読書に集中していることを示す事象が検出された場合に、該事象が検出されない場合と比べて、前記閾値が高く設定される、
請求項１〜６のいずれか一項に記載の方法。
【請求項８】
予め記憶された特定音パターンに一致する前記周囲雑音を検出したか否かを判定し、前記特定音パターンに一致する前記周囲雑音が検出されたと判定された場合に、特定音パターンに一致する周囲雑音が検出された旨を前記端末装置の表示画面に表示する表示ステップを更に含む、
請求項１〜７のいずれか一項に記載の方法。
【請求項９】
表示画面を備えた端末装置であって、
前記端末装置の状態が、ユーザが電子書籍の読書をしていると推定される状態であるリーダモードであるか否かを判定する判定部と、
前記端末装置の周囲の周囲雑音を検出する検出部と、
前記端末装置の周囲で検出された前記周囲雑音に対応する雑音相殺音波を生成する生成部と、
前記判定部により前記リーダモードであると判定された場合に前記雑音相殺音波を出力する出力部と
を備える、端末装置。
【請求項１０】
前記判定部が、前記端末装置に対する操作を所定時間検出しなかった場合に、前記リーダモードでないと判定し、
前記生成部は、前記判定部により前記リーダモードでないと判定された場合に、前記雑音相殺音波の生成を停止する、
請求項９に記載の端末装置。
【請求項１１】
前記生成部は、前記検出部により所定の閾値以上の音量を有する周囲雑音を検出した場合に、前記雑音相殺音波を発生し、
ユーザが電子書籍の読書に集中していることを示す事象が検出された場合に、該事象が検出されない場合と比べて、前記閾値を高く設定する、
請求項９または１０に記載の端末装置。
【請求項１２】
予め記憶された特定音パターンに一致する前記周囲雑音を検出したか否かを判定し、前記特定音パターンに一致する前記周囲雑音が検出されたと判定された場合に、特定音パターンに一致する周囲雑音が検出された旨を端末装置の表示画面に表示させる表示制御部を更に備える、
請求項９〜１１のいずれか一項に記載の端末装置。
【発明の詳細な説明】
【技術分野】
【０００１】
本発明の一側面は、表示画面を備えた端末装置を用いて周囲雑音による注意散漫を低減するための方法及び電子リーダ周囲雑音最小化装置に関する。
【背景技術】
【０００２】
[0001]電子パーソナルディスプレイ（表示画面を備えた端末装置）は、ユーザに情報を表示する手持ち式携帯電子デバイスである。電子パーソナルディスプレイは、パーソナルコンピュータの多くを可能とし得るが、ユーザは一般的に、電子パーソナルディスプレイ自体から別個であるか、又は電子パーソナルディスプレイに結合されているが区別されるものであるキーボードを使用することなく、電子パーソナルディスプレイと直に対話することができる。電子パーソナルディスプレイのいくつかの例は、携帯デジタルデバイス／タブレットコンピュータ（たとえば、アップルアイパッド（Ａｐｐｌｅ  ｉＰａｄ）（登録商標）、マイクロソフト（Ｍｉｃｒｏｓｏｆｔ）（登録商標）サーフェス（Ｓｕｒｆａｃｅ）（商標）、サムスンギャラクシータブ（Ｓａｍｓｕｎｇ  Ｇａｌａｘｙ  Ｔａｂ）（登録商標）など）、手持ち式マルチメディアスマートフォン（たとえば、アップルアイフォーン（Ａｐｐｌｅ  ｉＰｈｏｎｅ）（登録商標）、サムスンギャラクシーＳ（Ｓａｍｓｕｎｇ  Ｇａｌａｘｙ  Ｓ）（登録商標）など、）、及び手持ち式電子リーダ（たとえば、アマゾンキンドル（ＡｍａｚｏｎＫｉｎｄｌｅ）（登録商標）、バーンズアンドノーブル（Ｂａｒｎｅｓ  ａｎｄ  Ｎｏｂｌｅ  Ｎｏｏｋ）（登録商標）、Ｋｏｂｏ  Ａｕｒａ  ＨＤなど）を含む。
【０００３】
[0002]ｅリーダとしても既知の電子リーダは、電子書籍（ｅブック）、電子雑誌、及び他のデジタルコンテンツを読むために使用される電子パーソナルディスプレイである。たとえば、ｅブックのデジタルコンテンツがｅリーダの表示装置に文字及び／又は画像として表示され、それによって、ユーザは、紙媒体書籍の印刷紙面のアナログコンテンツを読むのとほとんど同じようにデジタルコンテンツを読むことができる。ｅリーダは、そうでなければ従来の紙形式では大きな体積の空間を占める可能性がある大量のデジタルコンテンツを記憶、運搬、及び閲覧するための簡便な形式を提供する。
【０００４】
[0003]場合によっては、ｅリーダは、文字デジタルコンテンツ（すなわち、文字列）を表示する際に特に良好に機能するように設計された専用デバイスである。たとえば、専用ｅリーダは、グレアを低減し、光量が多い状態で良好に機能し、及び／又は実際の紙に印刷された文字列の外見を模倣する表示装置を含み得る。そのような専用ｅリーダは、ユーザが読むための文字デジタルコンテンツを表示するのには優れているものであり得るが、専用ｅリーダは、とりわけ、画像の表示、音響の放出、音響の捕捉、デジタル画像の捕捉、及びウェブ閲覧のような、他の機能を実行することもできる。
【０００５】
[0004]本明細書に組み込まれるとともに本明細書の一部を形成する添付の図面は、様々な実施形態を示すとともに、実施形態の説明とともに、後述する原理を説明する役割を果たす。この図面の簡単な説明において参照する図面は、別途指摘しない限り、原寸に比例して描かれているものとして理解されるべきではない。
【図面の簡単な説明】
【０００６】
【図１Ａ】様々な実施形態による電子リーダ（ｅリーダ）の正面斜視図である。
【図１Ｂ】様々な実施形態による、図１Ａのｅリーダの背面斜視図である。
【図２】様々な実施形態による、ｅリーダの表示装置の一部の詳細図を伴う図１Ａのｅリーダの断面図である。
【図３】一実施形態による、触覚センサの一例を示すｅリーダの断面図である。
【図４】様々な実施形態による、ｅリーダの構成要素として含まれ得る例示的な演算システムを示す図である。
【図５】一実施形態による、例示的な読書環境を示す図である。
【図６】一実施形態による、周囲雑音最小化装置を示す図である。
【図７】様々な実施形態による、表示画面を備えた端末装置を用いて周囲雑音による注意散漫を低減する方法の流れ図である。
【図８】雑音相殺音波の出力の停止制御の処理を示すフローチャートである。
【図９】特定音を検出した場合のユーザに対する表示処理を実現する周囲雑音最小化装置の機能ブロック図である。
【発明を実施するための形態】
【０００７】
[0013]ここで、本主題の実施形態を詳細に参照し、当該実施形態の例を添付の図面に示す。本明細書に記載する本主題を様々な実施形態とともに説明するが、当該実施形態は、本主題をこれらの実施形態に限定するようには意図されていない。逆に、提示する実施形態は、添付の特許請求の範囲によって定義される様々な実施形態の精神及び範囲内に入り得る代替物、変更及び均等物を包含するように意図されている。さらに、実施形態の説明において、本発明の主題の実施形態の完全な理解を提供するために、いくつかの特定の詳細が記載される。しかしながら、実施形態は、これらの特定の詳細を用いずに実践されてもよい。他の例において、記載されている実施形態の態様を不必要に不明瞭にしないように、既知の方法、手順、構成要素、及び回路は詳細には説明されていない。
（表記及び用語）
【０００８】
[0014]以下の説明から明らかであるとして、別途特に記載されない限り、実施形態の本説明全体を通じて、「判定（ｄｅｔｅｒｍｉｎｉｎｇ）」、「検出（ｄｅｔｅｃｔｉｎｇ）」、「発生（ｄｅｖｅｌｏｐｉｎｇ）」、「生成（ｇｅｎｅｒａｔｉｎｇ）」、「出力（ｏｕｔｐｕｔｔｉｎｇ）」、「受信（ｒｅｃｅｉｖｉｎｇ）」などのような用語を利用した説明は、とりわけ、電子リーダ（「ｅリーダ」）、電子パーソナルディスプレイ、及び／又は携帯（すなわち、手持ち式）マルチメディアデバイス／スマートフォン、携帯デジタルデバイス／タブレットコンピュータのような電子演算デバイス／システムの動作及びプロセスを指すことが多いことが了解される。電子演算デバイス／システムは、電子演算デバイス／システムの回路、電子レジスタ、メモリ、ロジック、及び／又は構成要素などの中の物理（電子）量として表されるデータを操作して、その電子演算デバイス／システム又は他の電子演算デバイス／システムの中の物理量として同様に表される他のデータに変換する。
（説明の概要）
【０００９】
[0015]以下の説明において、集中読書モードが開示される。一実施形態において、集中読書モードは、注意散漫にする周囲の影響を積極的に最小限に抑えて、有益な読書環境を提供する。概して、マイクが振幅及び周波数を含む周囲雑音特性を検出する。それに応答して、雑音相殺音波が少なくとも１つのスピーカを介して生成される。一実施形態において、この特徴は、携帯演算又はｅリーダデバイスが動作している間に読書モードにあるときに自動的に始動するように設定されてもよい。別の実施形態において、この特徴は、手動入力を介してユーザ入力によって起動されてもよい。
【００１０】
[0016]電子パーソナルディスプレイ（表示画面を備えた端末装置）の一例として例示的なｅリーダを説明することによって論述を始める。最初に、電子パーソナルディスプレイのいくつかの実施形態に含まれ得る様々な構成要素を説明する。その後、電子パーソナルディスプレイのいくつかの実施形態とともに利用され得る様々な表示装置及び触覚検知技術を次に説明する。その後、ｅリーダ又は他の電子パーソナルディスプレイの構成要素として含まれ得る例示的な演算システムを次に説明する。その後、電子パーソナルディスプレイを用いて周囲環境による注意散漫を低減する例示的な方法の説明とともに、例示的な電子パーソナルディスプレイ及び当該電子パーソナルディスプレイのいくつかの構成要素の動作を説明する。
（例示的な電子リーダ（ｅリーダ））
【００１１】
[0017]図１Ａは、様々な実施形態によるｅリーダ１００の正面斜視図を示す。概して、ｅリーダ１００は、表示画面を備えた端末装置の一例である。本明細書において特に例示を目的としてｅリーダを論述するが、論述する概念は、限定ではないが、携帯デジタルデバイス／タブレットコンピュータ及び／又はマルチメディアスマートフォンのような、他のタイプの端末装置にも等しく適用可能である。図示されているように、ｅリーダ１００は、表示装置１２０と、筐体１１０と、何らかの形態のオン／オフスイッチ１３０とを含む。いくつかの実施形態において、ｅリーダ１００は、スピーカ１５０（図示されている１５０−１及び１５０−２）と、マイク１６０（検出部）と、デジタルカメラ１７０と、着脱可能記憶媒体スロット１８０とをさらに含んでもよい。切断線が、図２により詳細に示す断面Ａ−Ａの領域及び方向を図示している。
【００１２】
[0018]筐体１１０は、表示装置１２０が位置づけられ、電子機器及びｅリーダ１００の一実施形態に含まれる他の構成要素を収容する外殻を形成する。図１Ａにおいて、正面１１１、底面１１２、及び右側面１１３が見えている。一体成型であるとして図示されているが、筐体１１０は、複数の接合又は相互結合された部分から形成されてもよい。筐体１１０は、プラスチック、金属、又は異なる材料の組合せのような様々な材料から形成されてもよい。
【００１３】
[0019]表示装置１２０は、ユーザが、表示装置１２０に表示されている文字及び／又は画像のようなデジタルコンテンツを見ることができる外面１２１（ベゼルと称することもある）を有する。表示装置１２０は、限定ではないが、液晶表示装置、発光ダイオード表示装置、プラズマ表示装置、双安定表示装置（電気泳動技術を使用する）、又は、ユーザに認識可能な画像及び文字を生成するのに適した他の表示装置を含む、いくつかの型の表示装置のうちのいずれか１つであってもよい。
【００１４】
[0020]オン／オフスイッチ１３０は、ｅリーダ１００に対して電源投入／電源遮断するのに利用される。オン／オフスイッチ１３０は、（図示のような）スライドスイッチ、ボタンスイッチ、トグルスイッチ、触覚検知式スイッチ、又は、ｅリーダ１００に対して電源投入／電源遮断するためのユーザ入力を受け取るのに適した他のスイッチであってもよい。
【００１５】
[0021]スピーカ（複数の場合もあり）１５０は、含まれる場合、ｅリーダ１００から可聴音を放出するように動作する。スピーカ１５０は、ｅリーダ１００に記憶された、若しくはｅリーダによって処理されているデジタルファイルから音声を再生することができ、及び／又はｅリーダ１００のプロセッサによって指示されるように他の音声を放出することができる。
【００１６】
[0022]マイク１６０は、含まれる場合、ｅリーダ１００に近接する環境から可聴音を受け取るように動作する。マイク１６０が受け取ることができる音声のいくつかの例は、声、音楽、及び／又はｅリーダ１００に近接する領域内の周囲雑音を含む。マイク１６０が受け取る音声は、ｅリーダ１００のデジタルメモリに記録し、及び／又はｅリーダ１００のプロセッサが処理することができる。
【００１７】
[0023]デジタルカメラ１７０は、含まれる場合、ｅリーダ１００に近接する環境から画像を受け取るように動作する。デジタルカメラ１７０が受け取ることができる画像のいくつかの例は、ｅリーダ１００を操作しているユーザの顔の画像、及び／又は、デジタルカメラ１７０の視野内の環境の画像を含む。デジタルカメラ１７０が受け取る画像は静止画像又は動画であってもよく、ｅリーダ１００のデジタルメモリに記録し、及び／又はｅリーダ１００のプロセッサが処理することができる。
【００１８】
[0024]着脱可能記憶媒体スロット１８０は、含まれる場合、不揮発性メモリカード（たとえば、マルチメディアカード（「ＭＭＣ」）、セキュアデジタル（「ＳＤ」）カードなど）のような、着脱可能記憶媒体の挿入される物品と着脱可能に結合し、当該物品にインターフェースをとるように動作する。ｅリーダ１００が再生するためのデジタルコンテンツ及び／又はｅリーダ１００に対する命令は、着脱可能記憶媒体スロット１８０に挿入される着脱可能記憶媒体に記憶することができる。付加的に又は代替的に、ｅリーダ１００は、着脱可能記憶媒体スロット１８０に挿入される着脱可能記憶媒体に情報を記録及び記憶することができる。
【００１９】
[0025]図１Ｂは、様々な実施形態による、図１Ａのｅリーダ１００の背面斜視図を示す。図１Ｂにおいて、ｅリーダ１００の筐体１１０の非表示側である背面１１５が見えている。図１Ｂには、筐体１１０の左側面１１４も見えている。筐体１１０は、図１Ａ又は図１Ｂのいずれにも見えていない上面も含むことが了解される。
【００２０】
[0026]図２は、様々な実施形態による、表示装置１２０の一部の詳細図２２０を伴うｅリーダ１００の断面図Ａ−Ａを示す。表示装置１２０及び筐体１１０に加えて、複数の触覚センサ２３０が見えており、ブロック図形式で示されている。様々な既知の触覚検知技術を利用して、ｅリーダ１００の実施形態に含まれる触覚センサ２３０を形成することができ、これらのセンサは限定ではないが、抵抗式触覚センサ、容量式触覚センサ（自己容量及び／又は相互容量を使用する）、誘導式触覚センサ、及び赤外線触覚センサを含むことが了解されるはずである。概して、抵抗式触覚検知は、接触された表面に印加される圧力に応答し、表示装置１２０、背面１１５、及び／又は筐体１１０他の表面の上、中、又は下のパターン化センサ設計を使用して実装される。概して、誘導式触覚検知は、スタイラスを使用することを必要とし、表示装置１２０、背面１１５、及び／又は筐体１１０他の表面の上、中、又は下に配置されているパターン化電極アレイを用いて実装される。概して、容量式触覚検知は、表示装置１２０、背面１１５、及び／又は筐体１１０他の表面の上、中、又は下に配置されているパターン化電極アレイを利用し、パターン化電極は、入力物体による近接又は接触によって引き起こされる容量の変化を検知する。概して、赤外線触覚検知は、外面１２１、背面１１５、及び／又は筐体１１０他の表面のような表面に発射されている１つ又は複数の赤外線ビームを遮断する入力物体を検知するように動作する。
【００２１】
[0027]入力物体の相互作用が触覚センサ２３０によって検出されると、触覚センサ２３０と結合されている専用プロセッサ（たとえば、特定用途向け集積回路（ＡＳＩＣ））によって解釈されて、当該相互作用がｅリーダ１００のプロセッサに渡されるか、又は、ｅリーダのプロセッサが、触覚センサ２３０から受信される入力物体の相互作用を直接操作及び／又は解釈するのに使用されるかのいずれかとなる。いくつかの実施形態において、パターン化センサ及び／又は電極は、極細ワイヤのような光学的に透明な材料又はインジウムスズ酸化物（ＩＴＯ）のような材料から形成されてもよいことが了解されるはずである。
【００２２】
[0028]様々な実施形態において、スタイラス又は人間の指のような入力物体２０１からユーザ入力を受け取るために、１つ又は複数の触覚センサ２３０（２３０−１正面、２３０−２背面、２３０−３右側面、及び／又は２３０−４左側面）がｅリーダ１００に含まれてもよい。たとえば、外面１２１又は外面１２１の上に配置されているカバーシート（図示せず）との近接又は接触に応答して、指２０１−１のような１つ又は複数の指からのユーザ入力が触覚センサ２３０−１によって検出され解釈され得る。そのようなユーザ入力を使用して、表示装置１２０に表示されている画像コンテンツと対話し、及び／又は、様々な身振り（たとえば、タップ、スワイプ、外面１２１上で指同士を近づけること、外面１２１上で指同士を離して間を拡げること、又は他の身振り）を通じて他の入力を提供することができる。
【００２３】
[0029]同様に、いくつかの実施形態において、人間の指２０１−２のような１つ又は複数の入力物体２０１からユーザ入力を受け取るために、触覚センサ２３０−２が、筐体１１０の背面１１５に近接して配置されてもよい。このように、１つ又は複数のユーザ入力物体２０１による背面１１５との近接又は接触に応答して背面１１５の全体又は一部にわたってユーザ入力が受信されてもよい。いくつかの実施形態において、正面（２３０−１）及び背面（２３０−２）の両方の触覚センサが含まれる場合、正面及び背面の両方の触覚センサとの入力物体の相互作用の組合せからユーザ入力が受け取られ解釈されてもよい。
【００２４】
[0030]同様に、いくつかの実施形態において、左側面触覚センサ２３０−３及び／又は右側面触覚センサ２３０−４が、含まれる場合、１つ又は複数の入力物体２０１からユーザ入力を受け取るために、筐体１１０のそれぞれの左側面及び／又は右側面（１１４、１１３）に近接して配置されてもよい。このように、１つ又は複数のユーザ入力物体２０１によるそれぞれの表面との近接又は接触に応答して筐体１１０の左側面１１４の全体若しくは一部及び／又は右側面１１３の全体若しくは一部にわたってユーザ入力が受信されてもよい。いくつかの実施形態において、別個の触覚センサを利用するかわりに、左側面触覚センサ２３０−３及び／又は右側面触覚センサ２３０−４は、筐体１１０の１つ又は複数の側面からの近接／接触ユーザ入力を受け取ることを容易にするように拡張された、正面触覚センサ２３０−１又は背面触覚センサ２３０−２の続きであってもよい。
【００２５】
[0031]図示されていないが、いくつかの実施形態において、筐体１１０の底面１１２及び／又は上面の１つ又は複数の部分を用いて、１つ又は複数のユーザ入力物体２０１による近接又は接触からのユーザ入力を受け取るのを容易にするために、１つ又は複数の触覚センサ２３０が同様に含まれ位置づけられてもよい。
【００２６】
[0032]なお図２を参照すると、詳細図２２０は、いくつかの実施形態による表示装置１２０を表している。詳細２２０は、いくつかの実施形態において表示装置１２０が双安定表示装置であるときに使用される双安定電子インクの一部を図示する。いくつかの実施形態において、双安定表示装置は、紙及びインクのような画像を提示するため、及び／又は、発光型表示装置ではなく反射型表示装置であり、したがって表示装置１２０に電力が供給されていないときであっても表示装置１２０に持続的な画像を提示することができるため、ｅリーダ１００に利用される。一実施形態において、双安定表示装置は、正に帯電した白色顔料粒子２２５及び負に帯電した黒色顔料粒子２２６が懸濁されている光学的に透明な液体２２４を充填された無数の微細な、光学的に透明なカプセル２２３の形態の電子インクを備える。カプセル２２３は、底面電極２２２と透過性上面電極２２１との間に配置されている。透過性／光学的に透明な保護面が多くの場合上面電極２２１の上に配置され、含まれる場合、この追加の透過面が表示装置１２０の外面１２１を形成し、接触入力を受け取るための接触面を形成する。１つ又は複数の介在する透過性／光学的に透明な層が外面１２１と上面電極２２１との間に配置されてもよいことが了解されるはずである。いくつかの実施形態において、これらの介在する層のうちの１つ又は複数は、触覚センサ２３０−１のパターン化センサ及び／又は電極を含んでもよい。カプセル２２３に近接した領域内で底面電極２２２及び上面電極２２１の各々に近接して正又は負電界が印加されると、ある電界に対して反対の極性の顔料粒子がその電界に引き寄せられ、一方で印加された電界と同様の極性の顔料粒子はその電界から跳ね返される。したがって、正電荷が上面電極２２１に印加され、負電荷が底面電極２２２に印加されると、黒色顔料粒子２２６がカプセル２２３の上部へ上昇し、白色顔料粒子２２５がカプセル２２３の下部へ向かう。これによって、外面１２１は、外面１２１上のカプセル２２３より上の点において黒く見える。逆に、負電荷が上面電極２２１に印加され、正電荷が底面電極２２２に印加されると、白色顔料粒子２２５がカプセル２２３の上部へ上昇し、黒色顔料粒子２２６がカプセル２２３の下部へ向かう。これによって、外面１２１は、外面１２１上のカプセル２２３より上の点において白く見える。３つ以上の色の顔料粒子を用いる、この技法の変形形態を利用することができることが了解されるはずである。
【００２７】
[0033]図３は、一実施形態による、触覚センサ２３０の一例を示すｅリーダの断面図である。図３において、表示装置１２０の一部が除去されており、それによって、下層の上面センサ２３０−１の一部が見えている。図示されているように、一実施形態において、上面触覚センサ２３０−１は、容量式検知の様々な技法を実行するのに使用することができるセンサ電極のｘ−ｙ格子として示されている。たとえば、センサ電極３３１（見えているものでは３３１−０、３３１−１、３３１−２、及び３３１−３）は第１の軸に沿って配列されており、一方でセンサ電極３３２（見えているものでは３３２−０、３３２−１、３３２−２、及び３３２−３）は、第１の軸にほぼ垂直である第２の軸に沿って配列されている。短絡を防止するためにセンサ電極３３１及び３３２の全体又は部分の間に誘電体層（図示せず）が配置されていることが了解されるはずである。図３に示すセンサ電極のパターン（３３１、３３２）は一例を提供しているに過ぎないこと、様々な他のパターンが同様に利用されてもよいこと、及び、これらのパターンのいくつかは単一の層内に配置されているセンサ電極のみを利用し得ることも了解されるはずである。加えて、図３の例は、上面電極２３０−１を表示装置１２０の下に配置されているものとして示しているが、他の実施形態では、触覚センサ２３０−１の部分は透過性であり、表示装置１２０の上に配置されるか、又は表示装置１２０と一体化されるかのいずれかであってもよい。
【００２８】
[0034]他の実施形態において、第１の軸上のセンサ電極３３１を用いた絶対／自己容量式検知を実行することによって、外面１２１に接触する任意の入力物体の第１のプロファイルを形成することができ、その後、センサ電極３３２での絶対／自己容量式検知を実行することによって、外面１２１に接触する任意の入力物体の第２のプロファイルを直交する軸上に形成することができる。これらの容量プロファイルを処理して、外面１２１に接触又は近接する入力物体２０１によって行われるユーザ入力の発生及び／又は位置を判定することができる。
【００２９】
[0035]別の実施形態において、第１の軸上のセンサ電極３３１と第２の軸上のセンサ電極３３２との間でトランス容量式／相互容量式検知を実行することによって、外面１２１に接触している任意の入力物体の容量画像を形成することができる。この容量画像を処理して、外面１２１に接触又は近接する入力物体によって行われるユーザ入力の発生及び／又は位置を判定することができる。
【００３０】
[0036]相互容量式検知は、外面１２１のような表面と接触している複数の同時の入力物体を検出するためのより良好な技法として考えられ、一方、絶対容量式検知は、外面１２１のような表面付近にあるが必ずしも接触しているとは限らない物体の近接を検出するためのより良好な技法として考えられることが了解されるはずである。
【００３１】
[0037]いくつかの実施形態において、ｅリーダ１００の背面１１５及び／又は筐体１１０の任意の他の表面（複数の場合もあり）の全体又は一部にわたって接触入力を検知するために、容量式検知及び／又は別の接触検知技法が使用されてもよい。
【００３２】
[0038]図４は、様々な実施形態による、ｅリーダのような表示画面を備えた端末装置の構成要素として含まれ得る例示的な演算システム４００を示し、当該演算システムを用いて、又は当該演算システムの上で本明細書に記載する様々な実施形態が機能することができる。
（例示的なコンピュータシステム環境）
【００３３】
[0039]ここで図４を参照すると、本明細書に記載するいくつかの実施形態のすべて又は部分は、たとえば、コンピュータシステムのコンピュータ使用可能／コンピュータ可読記憶媒体に常駐するコンピュータ可読及びコンピュータ実行可能命令から成る。すなわち、図４は、端末装置の様々な実施形態に従って、又は当該実施形態を実装するために使用することができる型のコンピュータ（コンピュータシステム４００）の一例を示している。たとえば、コンピュータシステム４００は、本明細書で論述している、ｅリーダ１００のようなｅリーダの機能の構成要素としてのもの、及び／又は当該機能を実施するためのものであってもよい。図４のコンピュータシステム４００は一例に過ぎないこと、及び、本明細書に記載するものとしての実施形態は、いくつかの異なるコンピュータシステムの上又は中で動作することができることが了解される。
【００３４】
[0040]図４のシステム４００は、情報を通信するためのアドレス／データバス４０４と、情報及び命令を処理するための、バス４０４に結合されているプロセッサ４０６Ａとを含む。図４に示すように、システム４００は、複数のプロセッサ４０６Ａ、４０６Ｂ、及び４０６Ｃが存在するマルチプロセッサ環境にもよく適している。プロセッサ４０６Ａ、４０６Ｂ、及び４０６Ｃは、様々な型のマイクロプロセッサのいずれかであってもよい。たとえば、いくつかのマルチプロセッサ実施形態において、複数のプロセッサのうちの１つは触覚検知プロセッサであってもよく、及び／又はプロセッサのうちの１つは表示装置プロセッサであってもよい。逆に、システム４００は、たとえば、プロセッサ４０６Ａのような単一のプロセッサを有することにもよく適している。システム４００は、プロセッサ４０６Ａ、４０６Ｂ、及び４０６Ｃのための情報及び命令を記憶するための、バス４０４に結合されている、コンピュータ使用可能揮発性メモリ４０８、たとえば、ランダムアクセスメモリ（ＲＡＭ）のようなデータ記憶機能部をも含む。システム４００は、プロセッサ４０６Ａ、４０６Ｂ、及び４０６Ｃのための静的情報及び命令を記憶するための、バス４０４に結合されている、コンピュータ使用可能不揮発性メモリ４１０、たとえば、読出し専用メモリ（ＲＯＭ）をも含む。システム４００内には、情報及び命令を記憶するための、バス４０４に結合されているデータ記憶装置４１２（たとえば、磁気又は光ディスク及びディスクドライブ）も存在する。
【００３５】
[0041]図４のコンピュータシステム４００は、たとえば、当該コンピュータシステムに結合される、フロッピーディスク（登録商標）、コンパクトディスク、デジタル多用途ディスク、ユニバーサルシリアルバス「フラッシュ」ドライブ、着脱可能メモリカードなどのような周辺コンピュータ可読記憶媒体４０２を有するようによく適合されている。いくつかの実施形態において、コンピュータ可読記憶媒体４０２は、図１Ａ及び図１Ｂに示す着脱可能記憶媒体スロット１８０のような、着脱可能記憶媒体スロットに挿入することによって、コンピュータシステム４００と（たとえば、バス４０４に）結合され得る。
【００３６】
[0042]システム４００は、文字列及び画像のような情報を可視的に表示するために、表示装置１２０をも含むか、当該表示装置と結合する。いくつかの実施形態において、システム４００は、情報、カーソル制御、身振り入力、コマンド選択、及び／又は他のユーザ入力を、プロセッサ４０６Ａ、又はマルチプロセッサ実施形態内のプロセッサの１つ若しくは複数に通信するための１つ又は複数の任意選択の触覚センサ２３０をも含むか、又は当該触覚センサと結合する。いくつかの実施形態において、システム４００は、音響出力を放出するための１つ又は複数の任意選択のスピーカ１５０をも含むか、又は当該スピーカと結合する。いくつかの実施形態において、システム４００は、音響入力を受信／捕捉するための任意選択のマイク１６０をも含むか、又は当該マイクと結合する。いくつかの実施形態において、システム４００は、デジタル画像を入力として受信／捕捉するための任意選択のデジタルカメラ１７０をも含むか、又は当該デジタルカメラと結合する。
【００３７】
[0043]任意選択の触覚センサ（複数の場合もあり）２３０は、コンピュータシステム４００のユーザ（たとえば、コンピュータシステム４００が一部となっているｅリーダのユーザ）が、表示装置１２０上の可視記号（カーソル）の動きを動的に通知し、表示装置１２０に表示されている選択可能項目のユーザ選択を示すことを可能にする。いくつかの実施形態において、カーソル制御デバイス及び／又はユーザ入力デバイスの他の実施態様も、コンピュータシステム４００に入力を提供するために含まれてもよく、様々なこれらの実施態様が既知であり、トラックボール、キーバッド、方向キーなどを含む。システム４００は、たとえば、カーソルが、マイク１６０を介して受信される音声コマンドのような他の手段によって方向づけられ、又は当該手段によってユーザ入力が受信されるようにするのにもよく適している。システム４００は、システム４００を外部実体と結合するための入出力（Ｉ／Ｏ）デバイス４２０をも含む。たとえば、一実施形態において、Ｉ／Ｏデバイス４２０は、有線通信を可能にするためのモデム、又は、システム４００と、外部デバイス及び／若しくは限定ではないがインターネットのような外部ネットワークとの間の無線通信を可能にするためのモデム及び無線通信機である。Ｉ／Ｏデバイス４２０は、ブルートゥース（Ｂｌｕｅｔｏｏｔｈ）（登録商標）無線通信機、Ｗｉ−Ｆｉ無線通信機（たとえば、電気電子技術者協会（ＩＥＥＥ）８０２．１１標準規格に準拠した無線通信機）などのような短距離無線通信機を含んでもよい。
【００３８】
[0044]図４をなお参照すると、システム４００のための様々な他の構成要素が図示されている。特に、存在する場合、オペレーティングシステム４２２、アプリケーション４２４、モジュール４２６、及び／又はデータ４２８が、一般的にコンピュータ使用可能揮発性メモリ４０８（たとえば、ＲＡＭ）、コンピュータ使用可能不揮発性メモリ４１０（たとえば、ＲＯＭ）、データ記憶装置４１２の組合せの中に常駐するものとして示されている。いくつかの実施形態において、本明細書に記載する様々な実施形態のすべての又は部分は、たとえば、アプリケーション４２４及び／又はモジュール４２６として、ＲＡＭ４０８、ＲＯＭ４１０、データ記憶装置４１２内のコンピュータ可読記憶媒体、周辺コンピュータ可読記憶媒体４０２、及び／又は他の有形コンピュータ可読記憶媒体内の記憶場所に記憶される。
【００３９】
[0045]ここで図５を参照すると、一実施形態による例示的な読書環境５００が示されている。概して、読書環境５００は、図１〜図３に詳細に記載されているｅリーダ１００のような表示画面を備えた端末装置を含む。読書環境５００は、端末装置（たとえば、ｅリーダ１００）内のヘッドホン差込口を介して接続され得る補助スピーカ５６５及びマイク５５５をも含むか、又は、ブルートゥース（登録商標）、Ｗｉ−Ｆｉ、若しくは他の短距離無線通信プロトコルを介して端末装置（たとえば、ｅリーダ１００）と無線結合されてもよい。
【００４０】
[0046]読書環境５００は、周囲雑音５２５を出力しているテレビ５２０のような周囲音発生源をも含む。テレビ５２０が示されているが、周囲雑音５２５は、子ども、群衆の騒音、電波雑音、交通騒音などのような、任意の数の雑音発生源からのものであり得る。スピーカ（複数の場合もあり）１５０及び／又は５６５によって出力される雑音相殺音波５３０も読書環境５００内に示されている。
【００４１】
[0047]読書環境５００は、能動雑音除去領域５４０にいるユーザ５１０をさらに示している。一実施形態において、能動雑音除去領域５４０は、出荷時設定位置であってもよい。たとえば、能動雑音除去領域５４０の出荷時設定位置は、平均的なユーザの頭部位置であってもよい。たとえば、端末装置（たとえば、ｅリーダ１００）の画面とユーザの頭部５１０との間の平均距離が２〜３フィートであると仮定する。このように仮定するとき、雑音相殺音波５３０は、２〜３フィートにおいて、すなわち、ユーザの耳において最も有効な雑音除去のための最大干渉を達成するように設定された音響出力レベルを有することになる。別の実施形態において、能動雑音除去領域５４０は、ユーザが調整可能であってもよい。
【００４２】
[0048]ここで図６を参照すると、一実施形態による周囲雑音最小化装置６００が示されている。一実施形態において、周囲雑音最小化装置６００は、読書モード判定器６１０（判定部）と、マイク１６０と、雑音除去モジュール６２０（生成部、出力部）と、少なくとも１つのスピーカ１５０、５６５（出力部）とを含む。本論述において構成要素は別個の物体として示されているが、１つ又は複数の構成要素の動作を組み合わせて単一のモジュールにしてもよいことが了解される。さらに、本明細書に記載する単一のモジュールによって実行される動作が、分割されていくつかの異なるモジュールによって実行される複数の動作にもなり得るか、又は、異なるモジュールによって全体が実行されることにもなり得ることも了解される。割り当てられている動作及び別個のモジュールのこの区分は、本明細書においては明瞭にするために設けられているに過ぎない。
【００４３】
[0049]一実施形態において、読書モード判定器６１０は、端末装置がいつリーダモードになるかを判定する。たとえば、一実施形態において、読書モード判定器６１０は、ｅリーダ１００のような端末装置がリーダモードになっていると判定する。本明細書に記載する場合、読書モード判定器６１０は、限定ではないが、自動検出、ハードボタン入力からの手動入力、容量式センサ入力からの手動入力などのような、１つ又は複数の検出方法を使用してｅリーダがリーダモードにあると判定する。
【００４４】
[0050]概して、マイク１６０は図５の周囲雑音５２５を検出する。本明細書に記載する場合、周囲雑音５２５は、子ども、群衆の騒音、電波雑音、交通騒音などのような、任意の数の雑音発生源からのものであり得る。一実施形態において、マイク１６０は、ｅリーダ１００のような端末装置に固定して結合されている正面向きのマイクである。別の実施形態において、マイク５５５は、有線又は無線で端末装置（たとえば、ｅリーダ１００）と接続されてもよい。たとえば、マイク５５５は、導線５１３を介して端末装置内のヘッドホン差込口に接続されてもよく、又は、ブルートゥース（登録商標）、Ｗｉ−Ｆｉ、若しくは他の短距離無線通信プロトコルを介して端末装置と無線結合されてもよい。
【００４５】
[0051]概して、雑音除去モジュール６２０は、マイク１６０及び／又はマイク５５５から周囲音情報を受信し、端末装置（たとえば、ｅリーダ１００）の周囲で検出された周囲雑音に対応する雑音相殺音波を発生させる。たとえば、周囲雑音５２５の周波数範囲の全体又は一部が、選択された振幅及び位相（干渉相殺を引き起こすように周囲雑音５２５の位相に対してシフトされている）を有する雑音相殺音波５３０として再生され得る。加えて、雑音除去モジュール６２０は所望の能動雑音除去領域までの距離も計算する。雑音除去モジュール６２０は、その後、その情報をスピーカ１５０に提供する。
【００４６】
[0052]一実施形態において、スピーカ１５０は、能動雑音除去領域５４０において周囲雑音低減を可能にするのに適切な出力レベルの雑音相殺音波５３０を出力する。
（表示画面を備えた端末装置を用いて周囲雑音による注意散漫を低減する例示的な方法）
【００４７】
[0053]図７は、様々な実施形態による、端末装置を用いて周囲雑音による注意散漫を低減する方法の流れ図７００を示す。いくつかの実施形態によれば、方法７００は、ｅリーダ１００のような電子リーダによって実行される。図１〜図６のうちの１つ又は複数の要素を参照して流れ図７００の要素を下記に説明する。
【００４８】
[0054]ここで、図７のステップ７０５及び図５を参照すると、一実施形態は、端末装置がリーダモードになっていることを判定する。一実施形態は、端末装置（たとえば、ｅリーダ１００）がリーダモードになっていることを自動的に判定する。たとえば、端末装置（たとえば、ｅリーダ１００）が数分よりも長く書籍を読むのに使用されている場合、端末装置は、ユーザが読書に集中していると仮定することができ、自動的にリーダモードに入ることになる。
【００４９】
[0055]別の実施形態において、手動入力が使用されて、端末装置（たとえば、ｅリーダ１００）にリーダモードになっていることを通知する。たとえば、手動入力は、ユーザがリーダモードと指定されているボタンを押下するなど、ハードボタンを介して受け取られてもよい。代替的に、手動入力は、容量式センサのような触覚センサを介して受け取られてもよい。たとえば、ユーザはソフトボタンに触れるか、又は容量式センサの上で身振りを実行して、端末装置（たとえば、ｅリーダ１００）にリーダモードに入るように通知してもよい。
【００５０】
[0056]ここで、図７のステップ７１０及び図５を参照すると、一実施形態は、端末装置の周囲の周囲雑音を検出する。たとえば、ｅリーダ１００のような端末装置は、マイク１６０を利用して周囲雑音の振幅及び周波数を検出してもよい。一実施形態において、マイク１６０は、ｅリーダ１００と固定して結合されている単一の正面向きのマイクであってもよい。別の実施形態において、マイク１６０は、ｅリーダ１００と固定して結合されている単一の正面向きのマイクであってもよい。また別の実施形態において、マイク１６０は、ｅリーダ１００と固定して結合されている複数のマイクであってもよい。また別の実施形態において、マイクは着脱可能に結合可能なマイク５５５であってもよい。本明細書に記載する場合、マイク５５５は、有線又は無線でｅリーダ１００と接続されてもよい。たとえば、マイク５５５は、ｅリーダ１００内のヘッドホン差込口に接続されてもよく、又は、ブルートゥース（登録商標）、Ｗｉ−Ｆｉ、若しくは他の短距離無線通信プロトコルを介してｅリーダ１００と無線結合されてもよい。
【００５１】
[0057]ここで、図７のステップ７１５及び図５を参照すると、一実施形態は、周囲雑音による注意散漫を低減するために端末装置において雑音相殺音波を生成する。概して、また例示のみを目的としてｅリーダ１００を参照して、マイク１６０を介して周囲雑音を受信すると、雑音除去モジュール６２０は、周波数及び振幅を判定し、その後、スピーカ１５０に、元の音に対して振幅が同じであるが位相が反転した音波を放出させる信号を生成する。２つの波は干渉と呼ばれるプロセスにおいて組み合わさって新たな波を形成し、実効的に互いを相殺する。
【００５２】
[0058]ここで、図７のステップ７２０及び図５を参照すると、一実施形態は、端末装置と結合されている少なくとも１つのスピーカから雑音相殺音波を出力する。一実施形態において、雑音相殺音波は、ｅリーダ１００のような端末装置に固定して結合されている１つの正面向きのスピーカ１５０から出力される。別の実施形態において、雑音相殺音波は、ｅリーダ１００のような端末装置に固定して結合されている一対の正面向きのスピーカ１５０から出力される。また別の実施形態において、雑音相殺音波は、ｅリーダ１００のような端末装置に着脱可能に結合されている少なくとも１つのスピーカ５６５から出力される。たとえば、スピーカ５６５は、有線又は無線でｅリーダ１００と接続されてもよい。たとえば、スピーカ５６５は、ｅリーダ１００内のヘッドホン差込口に接続されてもよく、又は、ブルートゥース（登録商標）、Ｗｉ−Ｆｉ、若しくは他の短距離無線通信プロトコルを介してｅリーダ１００と無線結合されてもよい。他の実施形態において、雑音相殺音波は、端末装置と固定して結合されているスピーカと、端末装置と着脱可能に結合されているスピーカとの何らかの組合せから出力される。
【００５３】
[0059]上記の実施形態の説明は、排他的であることも、実施形態を開示された正確な形態に限定することも意図されてはいない。そうではなく、この実施形態の説明にある例示的な実施形態は、当業者が記載されている主題の実施形態を作成し使用することを可能にするために提示されている。さらに、様々な実施形態が様々な組合せで記載されている。しかしながら、任意の２つ以上の実施形態が組み合わされてもよい。構造的特徴及び／又は方法的動作に特有の文言においていくつかの実施形態が説明されているが、添付の特許請求の範囲において定義される本主題は必ずしも、上述の特定の特徴に限定されないことが理解されるべきである。そうではなく、上述の特定の特徴及び動作は、例示として、また特許請求の範囲及びそれらの均等物の実装の形態例として開示されている。
【００５４】
（リーダモードの判定）
次に、リーダモードの判定について、更に詳細に説明する。前述のとおり、読書モード判定器６１０は、ｅリーダ１００のような端末装置がリーダモードになっていることを判定する。リーダモードは、ユーザが電子書籍の読書をしていると推定される読書状態である。リーダモードであると判定された場合に、ｅリーダ１００は周囲雑音を低減可能な雑音相殺音波を出力する。読書モード判定器６１０は、ｅリーダ１００の表示装置１２０に電子書籍が表示されている場合に、端末装置の状態がリーダモードであると判定してもよい。具体的には、例えば、ｅリーダ１００により読書を開始するときに、ユーザはｅリーダ１００を操作して、電子書籍のいずれかのページを表示させる。読書モード判定器６１０は、電子書籍のページが表示されたときに、リーダモードであることを判定できる。この判定は、例えば、図７のステップ７０５において実施される。
【００５５】
また、読書モード判定器６１０は、ｅリーダ１００の表示装置１２０に電子書籍が、予め設定された所定時間以上表示されている場合に、リーダモードであることを判定してもよい。これにより、確実に読書を行っていることをより精度良く判定することが可能となる。この判定のための所定時間は、例えば、数分といった時間に設定してもよい。
【００５６】
（雑音相殺音波の停止制御）
次に、雑音相殺音波５３０の出力の停止制御について説明する。読書モード判定器６１０は、ｅリーダ１００に対するユーザによる操作を所定時間検出しなかった場合に、ユーザが電子書籍の読書をしていない非読書状態、即ちリーダモードでないと判定することができる。リーダモードでないと判定された場合に、雑音除去モジュール６２０は、雑音相殺音波５３０の生成及びスピーカからの雑音相殺音波の出力を停止してもよい。このような制御により、ユーザがｅリーダ１００による読書をしていない可能性が高いときに雑音相殺音波５３０の出力が停止されるので、ｅリーダ１００における電力の消費が抑制される。
【００５７】
また、読書モード判定器６１０は、ｅリーダ１００に表示されている電子書籍に対するユーザによるページめくりの操作を所定時間検出しなかった場合に、リーダモードでないと判定することとしてもよい。この場合には、ユーザが電子書籍の読書をしていない状態を高精度に判定できる。
【００５８】
図８を参照して、雑音相殺音波５３０の出力の停止制御を説明する。ステップ８０５において、読書モード判定器６１０は、ｅリーダ１００の状態がリーダモードであるか否かを判定する。リーダモードであると判定された場合には、処理はステップ８１０に進められる。リーダモードになったと判定されなかった場合には、判定処理が繰り返される。
【００５９】
ステップ８１０〜８２０の処理は、図７のステップ７１０〜７２０の処理と同様であるので、説明を省略する。
【００６０】
ステップ８２５において、読書モード判定器６１０は、リーダモードでない非読書状態であるか否かを判定する。非読書状態であると判定された場合には、処理はステップ８３０に進められる。非読書状態であると判定されなかった場合には、ステップ８１０〜８２０の処理が繰り返され、雑音相殺音波５３０が出力される。
【００６１】
ステップ８３０において、雑音除去モジュール６２０は、雑音相殺音波の発生を停止し、スピーカ１５０による雑音相殺音波の出力が停止される。
【００６２】
（雑音相殺音波の出力制御）
次に、雑音相殺音波の出力の制御の例について説明する。雑音除去モジュール６２０は、マイク１６０により所定の閾値以上の音量を有する周囲雑音５２５を検出した場合に、雑音相殺音波５３０を発生するように制御を実施することとしてもよい。これにより、所定音量以上の周囲雑音５２５が発生しているときに雑音相殺音波５３０がスピーカ１５０から出力されるので、周囲雑音によりユーザによる読書が阻害されている蓋然性が高いときに雑音相殺音波による周囲雑音の低減を図ることができる。
【００６３】
そして、雑音除去モジュール６２０は、ユーザが電子書籍の読書に集中していることを示す事象が検出された場合に、そのような事象が検出されない場合と比べて、雑音相殺音波５３０の発生のための周囲雑音の音量の閾値を高く設定することとしてもよい。
【００６４】
ユーザが読書に集中している際には、比較的小さな雑音であれば読書を阻害する可能性は低い。そのような場合に、雑音相殺音波５３０の発生のための周囲雑音の音量の閾値を高く設定することにより、必要以上の雑音相殺音波５３０の出力を抑制することができる。ユーザが読書に集中していることを示す事象は、例えば、読書開始から一定時間経過後、及びページ捲りが安定して行われている場合等であって、このような事象は、ｅリーダ１００の触覚センサ２３０及びプロセッサ４０６等により検出可能である。
【００６５】
（特定音を検出した場合のユーザに対する表示）
次に、特定音を検出した場合のユーザに対する表示処理について説明する。ｅリーダ１００がリーダモードに制御されていて雑音相殺音波５３０が出力されているときには、ユーザの周囲で発生している全ての音が低減されるので、読書中であってもユーザが認識すべき音も低減されることとなる。ｅリーダ１００は、ユーザが認識すべき音が発生していることをユーザに対して表示する処理を実施できる。
【００６６】
図９は、かかる表示処理を実現可能な周囲雑音最小化装置６００Ａの機能ブロック図である。周囲雑音最小化装置６００または周囲雑音最小化装置６００Ａは、ｅリーダ１００に構成される。周囲雑音最小化装置６００Ａは、マイク１６０、読書モード判定器６１０、雑音除去モジュール６２０、スピーカ１５０及び表示制御部６３０及び表示装置１２０を備える。周囲雑音最小化装置６００Ａのマイク１６０、読書モード判定器６１０、雑音除去モジュール６２０及びスピーカ１５０の機能は、図６に示したものの機能と同様であるので、説明を省略する。
【００６７】
表示制御部６３０は、予め記憶された特定音パターンに一致する周囲雑音５２５をマイク１６０を介して検出したか否かを判定する。特定音パターンは、例えば、ドアチャイム、電話の呼び出し音、ユーザの名前を呼ぶ声等の音声データであって、ｅリーダ１００を構成するコンピュータシステムのいずれかの記憶手段４０２，４０８，４１０，４１２に記憶されていることとしてもよい。
【００６８】
表示制御部６３０は、特定音パターンに一致する周囲雑音５２５が検出されたと判定された場合に、特定音パターンに一致する周囲雑音が検出された旨を表示装置１２０に表示させる。これにより、ユーザが認識すべき周囲雑音が発生していることを認識させることが可能となる。
【００６９】
なお、以上説明した実施形態では、スピーカ１５０に雑音相殺音波５３０を出力させることとしているが、例えば、ユーザの耳に装着されるイヤホン等に雑音相殺音波５３０を出力させることとしてもよい。
【００７０】
次に、以上述べた本発明の各実施形態から抽出される技術的思想を請求項の記載形式に準じて列挙する。本発明に係る技術的思想は上位概念から下位概念まで、様々なレベルやバリエーションにより把握できるものであり、以下の記載に本発明が限定されるものではない。
【００７１】
（項目１）
表示画面を備えた端末装置を用いて周囲雑音による注意散漫を低減するための方法であって、前記方法が、
前記端末装置がリーダモードになっていることを判定するステップと、
前記端末装置の周囲の周囲雑音を検出するステップと、
周囲雑音による注意散漫を低減するために前記端末装置において雑音相殺音波を生成するステップと、
前記端末装置と結合されている少なくとも１つのスピーカから前記雑音相殺音波を出力するステップと
を含む、方法。
（項目２）
前記端末装置がリーダモードになっていることを自動的に判定するステップをさらに含む、項目１に記載の方法。
（項目３）
判定する前記ステップが、前記端末装置がリーダモードになっていることを通知する手動入力をハードボタンから受け取るステップをさらに含む、項目１に記載の方法。
（項目４）
前記端末装置がリーダモードになっていることを通知する手動入力を容量式センサ入力から受け取るステップをさらに含む、項目１に記載の方法。
（項目５）
前記端末装置と固定して結合されている少なくとも１つの正面向きのマイクを用いて前記周囲雑音の振幅及び周波数を検出するステップをさらに含む、項目１に記載の方法。
（項目６）
周囲雑音を検出する前記ステップが、前記端末装置と着脱可能に結合されている少なくとも１つのマイクを用いて前記周囲雑音の振幅及び周波数を検出するステップをさらに含む、項目１に記載の方法。
（項目７）
前記端末装置と固定して結合されている一対の正面向きのスピーカから前記雑音相殺音波を出力するステップをさらに含む、項目１に記載の方法。
（項目８）
前記端末装置と着脱可能に結合されている少なくとも１つのスピーカから前記雑音相殺音波を出力するステップをさらに含む、項目１に記載の方法。
（項目９）
電子リーダ（ｅリーダ）周囲雑音最小化装置であって、
前記電子リーダがいつリーダモードになるかを判定するための読書モード判定器と、
前記電子リーダの周囲の周囲雑音を検出するためのマイクと、
前記電子リーダの周囲で検出された前記周囲雑音に対応する雑音相殺音波を発生させるための雑音除去モジュールと、
前記雑音相殺音波を出力するための少なくとも１つのスピーカと
を備える、電子リーダ周囲雑音最小化装置。
（項目１０）
前記読書モード判定器が、自動検出、ハードボタン入力からの手動入力、及び容量式センサ入力からの手動入力から成る検出方法群から、前記電子リーダがリーダモードになっていると判定する、項目９に記載の電子リーダ周囲雑音最小化装置。
（項目１１）
前記少なくとも１つのスピーカが、前記電子リーダと固定して結合されている正面向きのスピーカである、項目９に記載の電子リーダ周囲雑音最小化装置。
（項目１２）
前記少なくとも１つのスピーカが、前記電子リーダと固定して結合されている一対の正面向きのスピーカである、項目９に記載の電子リーダ周囲雑音最小化装置。
（項目１３）
前記少なくとも１つのスピーカが、無線接続を介して前記電子リーダと結合されている、項目９に記載の電子リーダ周囲雑音最小化装置。
（項目１４）
前記少なくとも１つのスピーカが、有線接続を介して前記電子リーダと結合されている、項目９に記載の電子リーダ周囲雑音最小化装置。
（項目１５）
前記少なくとも１つのマイクが、前記電子リーダと固定して結合されている正面向きのマイクである、項目９に記載の電子リーダ周囲雑音最小化装置。
（項目１６）
前記少なくとも１つのマイクが、無線接続を介して前記電子リーダと結合されている、項目９に記載の電子リーダ周囲雑音最小化装置。
（項目１７）
前記少なくとも１つのマイクが、有線接続を介して前記電子リーダと結合されている、項目９に記載の電子リーダ周囲雑音最小化装置。
（項目１８）
電子リーダ（ｅリーダ）を用いて周囲雑音による注意散漫を低減するための方法であって、前記方法が、
前記電子リーダがリーダモードになっていることを判定するステップと、
前記電子リーダと結合されている少なくとも１つのマイクを用いて前記電子リーダの周囲の周囲雑音の振幅及び周波数を検出するステップと、
周囲雑音による注意散漫を低減するために前記電子リーダにおいて雑音相殺音波を生成するステップと、
前記電子リーダと結合されている少なくとも１つのスピーカから前記雑音相殺音波を出力するステップと
を含む、方法。
（項目１９）
判定する前記ステップが、自動検出、ハードボタン入力からの手動入力、及び容量式センサ入力からの手動入力から成る群から選択される、項目１８に記載の方法。
（項目２０）
前記電子リーダと固定して結合されている少なくとも１つの正面向きのマイクを用いて前記周囲雑音の前記振幅及び前記周波数を検出するステップをさらに含む、項目１８に記載の方法。
（項目２１）
前記電子リーダと固定して結合されている少なくとも１つの正面向きのスピーカから前記雑音相殺音波を出力するステップをさらに含む、項目１８に記載の方法。
【符号の説明】
【００７２】
１００…ｅリーダ、１１０…筐体、１１１…正面、１１２…底面、１１３…右側面、１１３…左側面、１１４…右側面、１１５…背面、１２０…表示装置、１２１…外面、１３０…オフスイッチ、１５０…スピーカ、１６０…マイク、１７０…デジタルカメラ、１８０…着脱可能記憶媒体スロット、２０１…ユーザ入力物体、２２０…詳細図、２２１…上面電極、２２２…底面電極、２２３…カプセル、２２４…液体、２２５…白色顔料粒子、２２６…黒色顔料粒子、２３０…触覚センサ、３３１…センサ電極、３３２…センサ電極、４００…コンピュータシステム、４０２…周辺コンピュータ可読記憶媒体、４０４…バス、４０６Ａ…プロセッサ、４０８…コンピュータ使用可能揮発性メモリ、４１０…コンピュータ使用可能不揮発性メモリ、４１２…データ記憶装置、４２０…Ｉ／Ｏデバイス、４２２…オペレーティングシステム、４２４…アプリケーション、４２６…モジュール、４２８…データ、５００…読書環境、５１０…頭部、５１３…導線、５２０…テレビ、５２５…周囲雑音、５３０…雑音相殺音波、５４０…能動雑音除去領域、５５５…マイク、５６５…補助スピーカ、６００…周囲雑音最小化装置、６１０…読書モード判定器、６２０…雑音除去モジュール、６３０…表示制御部。
【図１Ａ】
2015011352.tif 000003
【図１Ｂ】
2015011352.tif 000004
【図２】
2015011352.tif 000005
【図３】
2015011352.tif 000006
【図４】
2015011352.tif 000007
【図５】
2015011352.tif 000008
【図６】
2015011352.tif 000009
【図７】
2015011352.tif 000010
【図８】
2015011352.tif 000011
【図９】
2015011352.tif 000012